(57)【特許請求の範囲】
【請求項１】
渦巻形ガスケットを構成する複数の環状部材を加工するための渦巻形ガスケット加工装置であって、
一方の環状部材の径方向外側端面を所定の形状に加工する駆動ロールと、前記駆動ロールとの離間距離が調整可能となるように設けられ他方の環状部材の径方向内側端面を所定の形状に加工する従動ロールと、を有し、
前記駆動ロールは、回転力が付与されて回転するように設けられ、
前記駆動ロールの外周面には、前記一方の環状部材の径方向外側端面を所定形状に形成する加工用溝と、前記他方の環状部材の径方向外側端面を設置可能な設置用溝と、が軸方向に沿って並んで形成され、
前記従動ロールは、回転可能に設けられ、
前記従動ロールの外周面には、前記一方の環状部材の径方向内側端面を設置可能な設置用溝と、前記他方の環状部材の径方向内側端面を所定形状に形成する加工用溝と、が軸方向に沿って並んで形成され、
前記駆動ロールと前記従動ロールとが、前記一方の環状部材及び前記他方の環状部材に所定の挟持力を与えて、前記一方の環状部材の前記径方向外側端面及び前記他方の環状部材の前記径方向内側端面を所定形状に加工することを特徴とする渦巻形ガスケット加工装置。
【請求項２】
前記駆動ロールによる前記一方の環状部材の前記径方向外側端面の加工と、前記従動ロールによる前記他方の環状部材の前記径方向内側端面の加工と、が同時に実行されることを特徴とする請求項１に記載の渦巻形ガスケット加工装置。
【請求項３】
前記渦巻形ガスケットは、フープ及びフィラーを有し、
前記一方の環状部材は、前記フープ及びフィラーの径方向内側に配置された内輪であり、
前記他方の環状部材は、前記フープ及びフィラーの径方向外側に配置された外輪であることを特徴とする請求項１又は２に記載の渦巻形ガスケット加工装置。
【発明の詳細な説明】
【技術分野】
【０００１】
本発明は、渦巻形ガスケットを加工する渦巻形ガスケット加工装置に関する。
【背景技術】
【０００２】
従来から、外輪及び内輪付きの渦巻形ガスケットが知られている。外輪及び内輪付きの渦巻形ガスケット（以下、適宜、「ガスケット」と称する）は、主として、径方向外側に配置された外輪と、外輪に対して径方向内側に配置された内輪と、外輪と内輪との間に配置され、渦巻状に巻回されたフープ及びフィラーと、で構成されている。外輪とは、外周がフランジのボルトに内接しガスケットのセンタリングを容易にする機能と、ガスケットの補強と締付量を規制する機能などを有している。内輪は、締付時にガスケットの内径側への変形を防止することで締付力を保持する機能を有している。また、内輪は、管内径とガスケットとの間隙を少なくし、流体のかたまりやフランジ間隙部のエローション（侵食）を防止する。
【０００３】
ここで、従来から行われているガスケットの内輪の加工工程を説明する。先ず、内輪を旋盤に固定治具（あるいはチャック）によって固定する。このとき、内輪の径方向外側端面には、固定治具が位置している。この状態で、内輪の径方向内側端面をバイト等により切削する。これにより、内輪の芯出しが可能になる。次に、固定治具を内輪の径方向内側端面側に移動させる。そして、内輪の径方向外側端面をバイト等により切削する。これにより、内輪の径方向外側端面に、山状部（Ｖ突起）が形成される。その後、内輪の内径側端面と外径側端面のバリをサンダーやバリ取り機を用いて除去する。なお、外輪の加工工程の詳細については省略するが、固定治具、バイト、サンダーやバリ取り機などを用いて加工され、外輪の径方向内側端面に溝状部（Ｖ溝）が形成される。
【０００４】
ところが、渦巻形ガスケットの外輪又は内輪に形成されるＶ突起又はＶ溝は、上記した切削加工による加工工程を経て形成されるものであるため、切削屑分だけ材料歩留まりが悪くなっていた。また、切削工程で発生するバリを除去するバリ除去工程が必要となり、さらに、外輪及び内輪の口径の寸法精度を出すための工程が別に必要となり、全体としての工程数が多くなっていた。
【０００５】
上記問題点を考慮し、ロール転造技術を用いて渦巻形ガスケットの外輪及び内輪をそれぞれ加工するための渦巻形ガスケット加工装置が知られている（特許文献３参照）。この渦巻形ガスケット加工装置によれば、歩留まりが良く、加工工程が簡便で、安全性の高い渦巻形ガスケットの加工方法を実現することができる。
【先行技術文献】
【特許文献】
【０００６】
【特許文献１】特開平１１−２４１７７２号公開公報
【特許文献２】特開平０３−１５１１３２号公開公報
【特許文献３】特許第３３４９１２８号特許公報
【発明の概要】
【発明が解決しようとする課題】
【０００７】
しかしながら、特許文献３に記載の渦巻形ガスケット加工装置では、ロール転造技術を用いて渦巻形ガスケットの外輪及び内輪のように、渦巻形ガスケットを構成する環状部材（リング状部材）が複数存在する場合に、複数の環状部材のうち、環状部材のひとつずつ加工するものであるため、加工工程が多くなるともに、加工時間が増大し、加工効率が低下していた問題があった。
【０００８】
そこで、本発明は、上記問題点を解消するため、渦巻形ガスケットの加工効率を向上することができる渦巻形ガスケット加工装置を提供する。
【課題を解決するための手段】
【０００９】
本発明は、渦巻形ガスケットを構成する複数の環状部材を加工するための渦巻形ガスケット加工装置であって、
一方の環状部材の径方向外側端面を所定の形状に加工する駆動ロールと、前記駆動ロールとの離間距離が調整可能となるように設けられ他方の環状部材の径方向内側端面を所定の形状に加工する従動ロールと、を有し、
前記駆動ロールは、回転力が付与されて回転するように設けられ、
前記駆動ロールの外周面には、前記一方の環状部材の径方向外側端面を所定形状に形成する加工用溝と、前記他方の環状部材の径方向外側端面を設置可能な設置用溝と、が軸方向に沿って並んで形成され、
前記従動ロールは、回転可能に設けられ、
前記従動ロールの外周面には、前記一方の環状部材の径方向内側端面を設置可能な設置用溝と、前記他方の環状部材の径方向内側端面を所定形状に形成する加工用溝と、が軸方向に沿って並んで形成され、
前記駆動ロールと前記従動ロールとが、前記一方の環状部材及び前記他方の環状部材に所定の挟持力を与えて、前記一方の環状部材の前記径方向外側端面及び前記他方の環状部材の前記径方向内側端面を所定形状に加工することを特徴とする。
【００１０】
前記駆動ロールによる前記一方の環状部材の前記径方向外側端面の加工と、前記従動ロールによる前記他方の環状部材の前記径方向内側端面の加工と、が同時に実行されることを特徴とする。
【００１１】
さらに、前記渦巻形ガスケットは、フープ及びフィラーを有し、前記一方の環状部材は、前記フープ及びフィラーの径方向内側に配置された内輪であり、前記他方の環状部材は、前記フープ及びフィラーの径方向外側に配置された外輪であることが好ましい。
【００１２】
上記発明によれば、渦巻形ガスケット加工装置は、一方の環状部材（例えば、内輪）の径方向外側端面を所定の形状に加工する駆動ロールと、駆動ロールとの離間距離が調整可能となるように設けられ他方の環状部材（例えば、外輪）の径方向内側端面を所定の形状に加工する従動ロールと、を有している。ここで、駆動ロールは、内輪の径方向内側端面が回転軸の軸回りに回転する従動ロールの外周面に嵌められた状態で、回転軸の軸回りに回転する駆動ロールの外周面と回転軸の軸回りに回転する従動ロールの外周面とから内輪の径方向外側端面に対して所定の挟持力を与えて内輪の径方向外側端面を所定の形状に加工する。従動ロールは、外輪の径方向内側端面が回転軸の軸回りに回転する従動ロールの外周面に嵌められた状態で、回転軸の軸回りに回転する駆動ロールの外周面と回転軸の軸回りに回転する従動ロールの外周面とから外輪の径方向内側端面に対して所定の挟持力を与えて外輪の径方向内側端面を所定の形状に加工する。このように、渦巻形ガスケットの加工方法において、駆動ロール及び従動ロールによるロール転造技術を用いて、外輪及び内輪を加工することにより、歩留まりが良く、加工工程が簡易でかつ加工の安全性が高くなる。また、安価で外輪及び内輪の寸法精度が優れた渦巻形ガスケットを得ることができる。
【００１３】
また、駆動ロールによる一方の環状部材の径方向外側端面の加工と、従動ロールによる他方の環状部材の径方向内側端面の加工と、が同時に実行されることにより、渦巻形ガスケットの加工時間及び加工工程を削減でき、加工効率を高めることができる。
【発明の効果】
【００１４】
本発明によれば、ロール転造技術を用いて、歩留まりが良く、加工工程が簡便で、安全性の高い、渦巻形ガスケットの外輪及び内輪の加工装置を提供できる。さらに、渦巻形ガスケットを構成する環状部材（リング状部材）が複数存在する場合に、複数の環状部材を同時に加工することができ、加工時間の短縮と加工工程の削減を図ることができる。この結果、渦巻形ガスケットの加工効率を格段に高めることができる。
【図面の簡単な説明】
【００１５】
【図１】本発明の渦巻形ガスケットの説明図である。
【図２】本発明の渦巻形ガスケットを構成する外輪の加工前と加工後の断面図である。
【図３】本発明の渦巻形ガスケットを構成する内輪の加工前と加工後の断面図である。
【図４】本発明の渦巻形ガスケット加工装置の概略構成図である。
【図５】本発明の渦巻形ガスケット加工装置を構成する駆動ロールの構成図である。
【図６】本発明の渦巻形ガスケット加工装置を構成する従動ロールの構成図である。
【図７】本発明の渦巻形ガスケット加工装置によって外輪（内輪）を加工するとき工程を示した概念図である。
【図８】本発明の渦巻形ガスケット加工装置によって外輪を加工するときの説明図である。
【図９】本発明の渦巻形ガスケット加工装置によって内輪を加工するときの説明図である。
【発明を実施するための形態】
【００１６】
本発明の第１実施形態に係る渦巻形ガスケット、渦巻形ガスケットの加工方法及び渦巻形ガスケット加工装置について、図面を参照して説明する。
【００１７】
図１に示すように、渦巻形ガスケット１０は、外輪１２と、外輪１２に対して径方向内側に配置される内輪１４と、外輪１２と内輪１４との間に配置されたフープ（金属）１６及びフィラー（無機繊維）１８と、を有している。フープ（金属）１６及びフィラー（無機繊維）１８は、渦巻状に巻回され、径方向外側に向かって突出すねように形成されており、径方向に沿って交互に重ね合わされるようにして配置されている。
【００１８】
図２に示すように、外輪１２の径方向内側端面２０には、溝状部（Ｖ溝）２２が形成されている。この溝状部２２は、最も径方向外側に位置するフープ（金属）１６及びフィラー（無機繊維）１８の径方向外側の突出先端部が収容される部位である。
【００１９】
図３に示すように、内輪１４の径方向外側端面２４には、山状部（Ｖ突起）２６が形成されている。内輪１４の径方向外側端面２４の山状部（Ｖ突起）２６は、最も径方向内側に位置するフープ（金属）１６及びフィラー（無機繊維）１８の凹部に収容される。
【００２０】
ここで、渦巻形ガスケット加工装置について説明する。
【００２１】
図４に示すように、渦巻形ガスケット加工装置５０は、上記した渦巻形ガスケット１０の外輪１２と内輪１４を加工する装置である。渦巻形ガスケット加工装置５０は、主として、内輪１４の径方向外側端面２４を所定の形状に加工する駆動ロール５２と、駆動ロール５２との離間距離が調整可能となるように設けられ外輪１２の径方向内側端面２０を所定の形状に加工する従動ロール５４と、従動ロール５４を移動（昇降）させ駆動ロール５２と従動ロール５４との離間距離を調整するピストン５８を備えたシリンダ装置５６（中央側シリンダ装置５７）と、外輪１２又は内輪１４の外周面に接触して外輪１２又は内輪１４を位置決めするピストン６４を備えたシリンダ装置６２（上方側シリンダ装置６６及び下方側シリンダ装置６８）と、を有している
【００２２】
駆動ロール５２は、モータなどの駆動源により回転力が付与されて回転軸７２の軸回りに回転するように設けられている。図５に示すように、駆動ロール５２の外周面には、内輪１４の径方向外側端面２４に山状部（Ｖ突起）２６を形成する加工用溝７８と、外輪１２の径方向外側端面２８を設置可能な設置用溝７６と、が形成されている。駆動ロール５２の設置用溝７６と加工用溝７８は、駆動ロール５２の軸方向に沿って並んで形成されている。本実施形態では、駆動ロール５２の設置用溝７６は、図５から見て四角形状に形成されており、駆動ロール５２の径方向に対して直交して延びる底面部７６Ａと、駆動ロール５２の径方向に沿って平行して伸びる一対の垂直面７６Ｂと、で構成されている。また、駆動ロール５２の加工用溝７８は、駆動ロール５２の径方向を最深部側に進むに従い相互に近づいていく一対の傾斜面７８Ａと、一対の傾斜面７８Ａに接続され駆動ロール５２の径方向に対して直交して延びる一対の垂直面７８Ｂと、で構成されている。加工用溝７８は、最深部において一対の傾斜面７８Ａの端部同士が交わっており、図５から見て鋭角に尖った最深部を有している。なお、図２及び図５に示すように、駆動ロール５２の設置用溝７６の形状は、外輪１２の径方向外側端面２８の輪郭と一致する。また、図３及び図５に示すように、駆動ロール５２の加工用溝７８の形状は、内輪１４の径方向外側端面２４の山状部（Ｖ突起）２６の輪郭と一致する。
【００２３】
従動ロール５４は、回転軸７４の軸回りに回転可能に設けられている。図６に示すように、従動ロール５４の外周面には、内輪１４の径方向内側端面３０を設置可能な設置用溝８０と、外輪１２の径方向内側端面２０に溝状部（Ｖ溝）２２を形成する加工用溝８２と、が形成されている。従動ロール５４の設置用溝８０と加工用溝８２は、従動ロール５４の軸方向に沿って並んで形成されている。従動ロール５４の設置用溝８０は、図６から見て四角形状に形成されており、従動ロール５４の径方向に対して直交して延びる底面部８０Ａと、径方向に沿って平行して伸びる一対の垂直面８０Ｂと、で構成されている。また、従動ロール５４の加工用溝８２は、従動ロール５４の径方向外側に突出した山部８４（溝の底部）と、径方向に対して直交して延びる一対の垂直面８２Ｂと、で構成されている。加工用溝８２の山部８４は、底部の中央部において一対の傾斜面８２Ａの端部同士が交わるようにして形成されている。なお、山部８４を構成する一対の傾斜面８２Ａは、従動ロール５４の径方向外側に進むに従って相互に近づくように形成されている。なお、図３及び図６に示すように、従動ロール５４の設置用溝８０の形状は、内輪１４の径方向内側端面３０の輪郭と一致する。また、図２及び図６に示すように、従動ロール５４の加工用溝８２の形状は、外輪１２の径方向内側端面２０の溝状部（Ｖ溝）２２の形状と一致する。
【００２４】
図４に示すように、中央側シリンダ装置５７は、従動ロール５４を上下移動（昇降）させて駆動ロール５２と従動ロール５４との離間距離を調整するものである。油圧式で駆動するピストン５８がシリンダ本体５９から伸びることにより駆動ロール５２と従動ロール５４との離間距離が小さくなり、ピストン５８がシリンダ本体５９に収容されることにより駆動ロール５２と従動ロール５４との離間距離が大きくなる。
【００２５】
シリンダ装置６２は、外輪１２又は内輪１４の外周面に接触して外輪１２又は内輪１４を位置決めするものであり、外輪１２又は内輪１４の外周面に沿って所定の間隔をあけて複数（本実施形態では４つ）設けられている。ピストン６４には、外輪１２又は内輪１４の外周面に接触するローラ６５が設けられている。ローラ６５は、軸回りに回転可能に設けられており、外輪１２又は内輪１４の外周面に接触した状態で回転することにより、外輪１２又は内輪１４の位置決めを行い、また、外輪１２又は内輪１４の回転動作に支障が生じないように設計されている。油圧式で駆動するピストン６４がシリンダ本体６７から伸びたり、あるいはシリンダ本体６７に収容されたりすることにより、駆動ロール５２と従動ロール５４との離間距離にかかわらず、外輪１２又は内輪１４を位置決めすることができる。なお、全てのシリンダ装置６２のうち、２つのシリンダ装置６２は、中央側シリンダ装置５７よりも上方側（駆動ロール５２の近傍）に位置した上方側シリンダ装置６６であり、その他の２つのシリンダ装置６２は、中央側シリンダ装置５７よりも下方側（駆動ロール側と反対側）に位置した下方側シリンダ装置６８である。
【００２６】
また、外輪１２又は内輪１４の加工時には、外輪１２又は内輪１４の外周面に、圧縮空気や油が供給される。圧縮空気や油が外輪１２又は内輪１４の外周面に供給されることにより、外輪１２又は内輪１４の外周面に付着した異物を除去することができ、また、外輪１２又は内輪１４の外周面と駆動ロール５２の外周面との接触によって発生する摩擦力を低減することができる。なお、外輪２又は内輪１４の外周面の近傍にＣＣＤセンサを配置して、外輪１２又は内輪１４の外周面の状況を把握しながら、外輪１２又は内輪１４の外周面に対する圧縮空気や油の供給タイミング又は供給量を調整してもよい。
【００２７】
次に、渦巻形ガスケット加工装置５０を用いた渦巻形ガスケットの外輪１２及び内輪１４の加工方法について説明する。なお、外輪１２及び内輪１４を加工する前段階の処理として、外輪１２及び内輪１４は、所定のリング形状に打抜かれ形成したり、所定の寸法で切断されたものをリング形状に曲げられ、その端部同士を溶接して接続されて形成したりする。このようにして、外輪１２及び内輪１４は、リング状に形成されている。
【００２８】
先ず、外輪１２の加工工程について説明する。
【００２９】
（外輪加工工程）  
図７及び図８に示すように、駆動ロール５２との離間距離が大きく開けられた従動ロール５４の外周面の一部に、外輪１２の径方向内側端面２０が設置される。このとき、外輪１２の径方向内側端面２０（図２参照）は、従動ロール５４の外周面に形成された加工用溝８２に配置される。換言すれば、外輪１２の径方向内側端面２０は、従動ロール５４の外周面に形成された加工用溝８２に嵌め込まれる。
【００３０】
次に、図４に示すように、油圧力により中央側シリンダ装置５７のピストン５８がシリンダ本体５９から伸びて従動ロール５４が押され、従動ロール５４が駆動ロール５２側に移動する。これにより、従動ロール５４と駆動ロール５２との離間距離が小さくなり、外輪１２の外周面（径方向外側端面２８）が従動ロール５４と駆動ロール５２とによって挟まれた状態になる。
【００３１】
次に、図４に示すように、外輪の外周面（径方向外側端面）に油が供給される。油が供給されるポイントは、駆動ロール５２に対して回転方向上流側の部位が好ましい。これにより、駆動ロール５２が外輪１２の径方向外側端面２８と油を介して接触するため、駆動ロール５２の外周面と外輪１２の径方向外側端面２８との間に発生する摩擦力を低減することができ、外輪１２の径方向外側端面２８が磨耗等して品質劣化することを防止できる。また、上方側シリンダ装置６６及び下方側シリンダ装置６８のピストン６４が伸びてローラ６５が外輪１２の外周面（径方向外側端面２８）に接触する。これにより、外輪１２が所定の位置に位置決めされる。
【００３２】
次に、駆動ロール５２を回転する。駆動ロール５２が回転すると、外輪１２は駆動力を受けて回転する。また、外輪１２の回転と同時に従動ロール５４も回転する。ここで、図５に示すように、外輪１２の径方向外側端面２８は、駆動ロール５２の設置用溝７６と噛み合っている。一方、図６に示すように、外輪１２の径方向内側端面２０は、従動ロール５４の加工用溝８２に嵌められているため、外輪１２の径方向内側端面２０が従動ロール５４と駆動ロール５２との間に所定の挟持力で挟まれた状態（所定の圧力を受けた状態）で外輪１２が回転することにより、外輪１２の径方向内側端面２０が所定の形状に加工されていく。具体的には、図８に示すように、外輪１２の径方向内側端面２０は、所定の挟持力（圧力）と回転力を受けて、従動ロール５４の加工用溝８２の底部にある山部８４が外輪１２の径方向内側端面２０にくい込んでいき、外輪１２の径方向内側端面２０が潰されていく（外輪１２の径方向内側端面２０が従動ロール５４の加工用溝８２の内部に隙間無く埋まる）。この結果、外輪１２の径方向内側端面２０に、従動ロール５４の加工用溝８２の山部８４の輪郭に合致した形状の溝状部（Ｖ溝）２２（図２参照）が形成される。このようにして、ロール転造技術を利用して、外輪１２の径方向内側端面２０に、溝状部（Ｖ溝）２２を形成することができる。
【００３３】
次に、上方側シリンダ装置６６及び下方側シリンダ装置６８のピストン６４がシリンダ本体６７に収容されて、ローラ６５が外輪１２の外周面（径方向外側端面２８）から離間する。そして、下方側シリンダ装置６８のピストン６４がシリンダ本体６７に収容されて、ローラ６５が外輪１２の外周面（径方向外側端面２８）から離間する。さらに、中央側シリンダ装置５７のピストン５８がシリンダ本体５９に収容されて、従動ロール５４がピストン５８と共に下降する。最後に、径方向内側端面２０に溝状部（Ｖ溝）２２が形成された外輪１２を従動ロール５４から取り外して加工工程が完了する。
【００３４】
（内輪加工工程）
内輪１４の加工工程について説明する。なお、加工の原理（加工工程）は、外輪の場合と同じであるため、外輪加工工程と重複する工程の説明は省略する。  
【００３５】
図７に示すように、駆動ロール５２との離間距離が大きく開けられた従動ロール５４の外周面の一部に、内輪１４の径方向内側端面３０が設置される。このとき、内輪１４の径方向内側端面３０は、従動ロール５４の外周面に形成された設置用溝８０に配置される（図６参照）。換言すれば、内輪１４の径方向内側端面３０は、従動ロール５４の外周面に形成された設置用溝８０に嵌め込まれる。
【００３６】
次に、図４に示すように、油圧力により中央側シリンダ装置５７のピストン５８がシリンダ本体５９から伸びて従動ロール５４が押され、従動ロール５４が駆動ロール５２側に移動する。これにより、従動ロール５４と駆動ロール５２との離間距離が小さくなり、内輪１４の外周面（径方向内側端面３０）が従動ロール５４と駆動ロール５２とによって挟まれた状態になる。  
【００３７】
加工時には、駆動ロール５２が回転する。駆動ロール５２が回転すると、内輪１４は駆動力を受けて回転する。また、内輪１４の回転と同時に従動ロール５４も回転する。ここで、図６に示すように、内輪１４の径方向内側端面３０は、従動ロール５４の設置用溝８０と噛み合っている。一方、図５に示すように、内輪１４の径方向外側端面２４は、駆動ロール５２の加工用溝７８に嵌められているため、内輪１４の径方向外側端面２４が従動ロール５４と駆動ロール５２との間に所定の挟持力で挟まれた状態（所定の圧力を受けた状態）で内輪１４が回転することにより、内輪１４の径方向外側端面２４が所定の形状に加工されていく。具体的には、図９に示すように、内輪１４の径方向外側端面２４は、所定の挟持力（圧力）と回転力を受けて、駆動ロール５２の加工用溝７８の内部にくい込んでいき、内輪１４の径方向外側端面２４が潰されていく（内輪１４の径方向外側端面２４が駆動ロール５２の加工用溝７８の内部に隙間無く埋まる）。この結果、内輪１４の径方向外側端面２４に、駆動ロール５２の加工用溝７８の形状に合致した輪郭を有する山状部（Ｖ突起）２６（図３参照）が形成される。このようにして、ロール転造技術を利用して、内輪１４の径方向外側端面２４に、山状部（Ｖ突起）２６を形成することができる。
【００３８】
なお、他の加工工程は、外輪１２の加工工程の場合と同様であるため、説明を省略する。
【００３９】
以上のように、ロール転造技術を利用した外輪１２の加工工程及び内輪１４の加工工程を経て、外輪１２の径方向内側端面２０に溝状部（Ｖ溝）２２を形成し、かつ、内輪１４の径方向外側端面２４に山状部（Ｖ突起）２６を形成することができる。
【００４０】
特に、駆動ロール５２の外周面に形成された設置用溝７６と従動ロール５４の外周面に形成された加工用溝８２との間に外輪１２をセットし、駆動ロール５２の外周面に形成された加工用溝７８と従動ロール５４の外周面に形成された設置用溝８０との間に内輪１４をセットした状態で、駆動ロール５２を回転駆動することにより、内輪加工工程と外輪加工工程とを同時に実行することが可能になる。これにより、図１のように渦巻形ガスケットを構成する環状部材（リング状部材）が複数存在する場合に、複数の環状部材（内輪１４及び外輪１２）を同時に加工することができ、加工時間の短縮と加工工程の削減を図ることができる。この結果、渦巻形ガスケット１０の加工効率を格段に高めることができる。
【００４１】
ロール転造技術を利用した外輪１２の加工工程及び内輪１４の加工工程を経た渦巻形ガスケット１０によれば、歩留まりの向上により、材料費を低減することができる。この結果、廃棄材料の低減を図ることができる。また、加工工程が簡易になり、外輪１２の径方向内側端面２０への溝状部（Ｖ溝）２２の形成と、内輪１４の径方向外側端面２４への山状部（Ｖ突起）２６の形成と、芯出しを同時に行うことができる。また、安価で外輪１２及び内輪１４の寸法精度が優れた渦巻形ガスケット１０を得ることができる。さらに、外輪１２（内輪１４）の幅が異なる場合でも、従動ロール５４の移動量を調整することにより、本発明の渦巻形ガスケット加工装置５０によって外輪１２及び内輪１４の加工を、本装置で実現することができる。
【符号の説明】
【００４２】
１０    渦巻形ガスケット
１２    外輪（他方の環状部材）
１４    内輪（一方の環状部材）
１６    フープ
１８    フィラー
５０    渦巻形ガスケット加工装置
５２    駆動ロール
５４    従動ロール
７６    設置用溝（駆動ロール側）
７８    加工用溝（駆動ロール側）
８０    設置用溝（従動ロール側）
８２    加工用溝（従動ロール側）
【図１】
0005439248.tif 000002
【図２】
0005439248.tif 000003
【図３】
0005439248.tif 000004
【図４】
0005439248.tif 000005
【図５】
0005439248.tif 000006
【図６】
0005439248.tif 000007
【図７】
0005439248.tif 000008
【図８】
0005439248.tif 000009
【図９】
0005439248.tif 000010